(57)【要約】【課題】  携帯電話機能と放送受信機能が融合した携帯端末が出現すると、いつでも、どこででも携帯端末の利用者は音声を伴う番組参加が可能になるが、携帯電話機の電話番号は個人情報であり、これを開示しないで電話を介した番組参加が出来るようになることが必要。【解決手段】  携帯端末と放送局の間に携帯端末の電話番号を匿名化する仲介手段を設け、ここにユーザの電話番号と放送局へ伝える匿名化した番号との対応表を置き、放送局から匿名化された番号で電話が掛かって来ると、これを元のユーザ電話番号に変換し携帯端末を呼び出すことが出来るようにする。【選択図】  図１
2005159485.tif 000002
【特許請求の範囲】
【請求項１】
通信路を介して第三者がユーザの携帯端末と通話するための発呼端末と、該発呼端末からの呼び出しを着信先である該携帯端末へ仲介する通信仲介センタと、該通信仲介センタからの呼び出しを受信する該携帯端末からなり、ユーザが該携帯端末を介して該第三者と通話できる端末制御システムにおいて、  前記通信仲介センタは、前記携帯端末を呼び出すための端末識別子を第三者から隠蔽するための匿名識別子を記憶する呼出端末データベースと、前記発呼端末から該匿名識別子を通信路を介して受信した際、該匿名識別子に対応する前記端末識別子を前記呼出端末データベースから検索する検索変換部と、該検索変換により得られた端末識別子を用いて前記発呼端末に代わって前記携帯端末を呼出す仲介制御部とを有し、  ユーザが第三者に携帯端末の端末識別子を開示することなく、第三者が該匿名識別子を前記通信仲介センタへ通知することにより、前記通信仲介センタが匿名識別子を該端末識別子に変換し、前記発呼端末に代わって通信路を前記携帯端末に接続し、前記第三者が前記ユーザと通話できることを特徴とする端末制御システム。
【請求項２】
前記呼出端末データベースは、前記匿名識別子に対応する前記端末識別子に加えて、前記携帯端末の機種情報を含む端末情報も記憶し、
前記通信仲介センタは、該端末情報に対応付けられ前記携帯端末を遠隔で制御するためのコマンド情報を記憶する端末制御コマンドデータベースを更に有し、
前記検索変換部は、前記発呼端末から前記匿名識別子を通信路を介して受信した際、該端末情報を該呼出端末データベースから検索する機能も有し、
前記仲介制御部は、該端末情報を基に該端末制御コマンドデータベースから取り出した制御コマンドを前記携帯端末へ送信する機能、および所定の制御コマンドの送信完了後に前記携帯端末が前記ユーザに着信を知らせる着信通知を実行する制御コマンドを送信する機能、該着信通知にユーザが応答すると前記携帯端末と前記発呼端末との間の通話を接続する機能を備え、  前記携帯端末は、前記通信仲介センタから送信された前記制御コマンドに従って前記携帯端末が内蔵するプログラムの実行または通信機能を制御する端末制御部を有し、  第三者が該匿名識別子を前記通信仲介センタへ通知すると、該匿名識別子に対応した該制御コマンドが順次前記携帯端末へ送信され、これによりユーザが第三者との通話に必要となるプログラムの起動や通信機能の設定を第三者との通話を開始する以前に実行できることを特徴とする請求項１記載の端末制御システム。
【請求項３】
前記通信仲介センタは、前記携帯端末から前記端末識別子を受信した際に該端末識別子に対応する前記匿名識別子を生成する機能と、該匿名識別子を携帯端末に返信する機能、および該匿名識別子を前記端末識別子と対にして前記呼出端末データベースに格納する機能を備えた呼出ＩＤ生成部を有し、
前記携帯端末は該携帯端末に固有な該端末識別子を記憶する端末情報記憶部を有することにより、ユーザが前記携帯端末を前記通信仲介センタに接続し該端末識別子を送信するだけで、前記携帯端末に対応する匿名識別子を該呼出ＩＤ生成部から取得できると共に、該匿名識別子が前記通信仲介センタの該呼出端末データベースに記憶され、第三者が該匿名識別子を知り、該匿名識別子を前記通信仲介センタに通知することでユーザと通話できるようになることを特徴とする請求項１記載の端末制御システム。
【請求項４】
前記呼出端末データベースが前記匿名識別子を記憶する際、該匿名識別子を第三者から使用できる利用可能回数を共に記憶可能であることを特徴とする請求項１または２のいずれかに記載の端末制御システム。
【請求項５】
前記利用可能回数を、ユーザが前記携帯端末から設定可能であることを特徴とする請求項４記載の端末制御システム。
【請求項６】
前記携帯端末が、該携帯端末の現在位置を示す情報を前記通信仲介センタに通知可能な機能を有し、前記通信仲介センタの仲介制御部が該位置情報を特定の条件で判定し、その判定結果に基づいて前記制御コマンドを前記携帯端末へ送信する機能を有することにより、  第三者が前記発呼端末でユーザと通話するために、前記携帯端末を前記通信仲介センタを介して呼び出した際に、前記通信仲介センタが前記携帯端末から現在位置を受信すると、前記仲介制御部が該現在位置の条件に適した設定を前記携帯端末に行わせる前記制御コマンドを前記端末制御コマンドデータベースから取り出し、送信することを特徴とする請求項２記載の端末制御システム。
【請求項７】
請求項２記載の端末制御システムに用いられる携帯端末において、
前記携帯端末は第三者との音声による通話機能に加えて、テレビ放送局から送信される放送コンテンツを受信する放送受信部、および放送コンテンツを表示部へ映し出す放送コンテンツ再生部を有し、
前記携帯端末の端末制御部は前記テレビ放送局を選局するための放送局ＩＤを前記放送受信部へ指示する機能と、前記放送受信部が前記放送局ＩＤに従って放送チャンネルを選局する機能を有し、  前記発呼端末が有する局情報記憶部に予め記憶された前記放送局ＩＤが、前記発呼端末が有する呼出制御部を介して前記通信仲介センタに送信され、  前記放送仲介センタの仲介制御部によって、前記端末制御コマンドデータベースから取り出された、前記携帯端末の放送受信部および放送コンテンツ再生部の機能を起動させる前記制御コマンドを、前記発呼端末から受信された放送局ＩＤと共に、前記放送仲介センタから受信することにより、  第三者がテレビ放送局で番組に出演しながら前記発呼端末を操作し前記ユーザを呼び出した際、前記発呼端末が記憶する放送局ＩＤと、前記通信仲介センタが記憶する制御コマンドを受信した前記携帯端末が、該放送局ＩＤと制御コマンドによって前記携帯端末の放送受信部を起動して第三者が出演中の放送コンテンツを受信し、さらに該放送コンテンツを該放送コンテンツ再生部がユーザに提示するように動作することで、ユーザが放送に出演中の第三者の姿を放送で見ながら、該第三者との通話をユーザに提供できることを特徴とする請求項２記載の携帯端末。
【請求項８】
前記放送に出演中の第三者と通話が出来る前記携帯端末が、前記通信路に対して前記ユーザの音声を入力するためのマイクロフォンと、第三者および前記放送コンテンツからの音声を出力するためのスピーカを内蔵する際、前記放送コンテンツからの音声が前記マイクロフォンへ漏れ、該音声が通話相手である前記放送に出演中の第三者に回り込むことを防止するため、あるいはユーザの音声が前記放送コンテンツに乗って前記携帯端末へ戻ってくることを防止するため、前記第三者からの着信で放送を視聴しながら通話をする場合には、前記端末制御部が前記放送コンテンツ再生部に対して、放送映像のみを再生し、放送音声は再生しないように再生制御を行うことを特徴とする請求項７記載の携帯端末。
【請求項９】
発呼端末からの呼び出しを着信先である携帯端末へ通信路を介して仲介する通信仲介センタにおける端末制御方法において、
前記携帯端末を呼び出すための端末識別子を前記発呼端末から隠蔽するための匿名識別子を呼出端末データベースに記憶するステップと、
前記発呼端末から該匿名識別子を通信路を介して受信した際、該匿名識別子に対応する前記端末識別子を該呼出端末データベースから検索するステップと、
前記検索により得られた端末識別子を用いて前記発呼端末に代わって前記携帯端末を呼び出すステップとを有し、  前記発呼端末が該匿名識別子を前記通信仲介センタへ通知し、前記通信仲介センタが匿名識別子を該端末識別子に変換し、前記発呼端末に代わって通信路を前記携帯端末に接続することを特徴とする端末制御方法。
【発明の詳細な説明】
【技術分野】
【０００１】
本発明は電話機能とテレビ放送受信機能を混載した携帯端末を用いた端末制御システムおよび端末制御方法に関する。
【背景技術】
【０００２】
従来放送を受信する端末は宅内で据え置きにして放送を一方的に視聴する利用形態がほとんどであり、通信機能に対応した据え置き型の受信端末でも、その機能は宅外から電話回線やインターネットを介して録画や故障診断等を行う程度のものであり、この例としては特開２００１−１６９００８のように端末の自動着信機能と、トーン信号等による制御コマンドの送受信がある。  また従来の放送において視聴者が音声を伴って参加する形式の番組に視聴者が参加する手段は、視聴者側から放送局へ電話掛けるか、あるいは事前にFAXや手紙に視聴者自身の電話番号を記載し、これを放送局の司会者やスタッフがダイヤルすることで行われている。  このように従来技術では音声を伴う番組参加は、基本的に放送受信端末とは全く別の装置によって行われている。  
【０００３】
【特許文献１】特開２００１−１６９００８号公報
【発明の開示】
【発明が解決しようとする課題】
【０００４】
しかし、放送のデジタル化が進み、携帯電話機能と放送受信機能が融合した携帯端末が出現すると、いつでも、どこででも携帯端末の利用者は音声を伴う番組参加が可能になる。  ところが、このようになった場合、従来技術も同様であるが利用者側からダイヤルをすると、放送局側がフリーダイヤルを設置しないような場合は、その通話代金が利用者負担となり、一方フリーダイヤルを用意した場合は多くのダイヤルが殺到することも考えられ運用が問題となる。また、予め視聴者が自分の電話番号をFAXや手紙／電子メール等で放送局へ送った場合でも、携帯電話のように非常にプライベート性の高い情報は利用者にとって心理的にその扱われ方に不安があり、折角の視聴者参加型番組もそのエンターテイメント性が損なわれる結果となりかねない。  
【０００５】
本発明は上記に鑑みてなされたもので、その目的は、利用者が自分の携帯端末の電話番号を隠蔽化した識別子を放送局へ通知すること、および放送局側がこの識別子を利用して携帯端末の利用者を番組に参加させること、またこのために携帯端末を外部から遠隔操作して、利用者が電話を受けると自動的に放送番組が画面に表示されることを可能にすることであり、このための携帯端末と端末制御サービスを提供する。
【課題を解決するための手段】
【０００６】
上記目的を達成するために、本発明は、利用者の携帯端末と放送局の発呼端末との間において双方の仲介を行う通信仲介センタを有し、通信仲介センタは利用者の電話番号を隠蔽化した識別子に変換する手段と、この識別子と利用者の電話番号を対にして記憶するデータベースと、放送局から識別子を受信しデータベースで利用者の電話番号に変換する手段と、この電話番号で携帯端末へ電話をして、その携帯端末の機種に適合した制御コマンドを送信する手段とを有し、また携帯端末は放送を受信し表示する手段と、通信仲介センタからの制御コマンドを受信して放送受信機能を起動し、同じく制御コマンドで受信した放送局ＩＤによって受信する放送局を選局し、さらに制御コマンドでユーザに放送局からの電話着信を通知する手段と、利用者の音声と放送局側の音声を電話回線を介して送受信する手段を有し、放送局の発呼端末は利用者から通知された識別子を入力する手段と、自放送局を示す放送局ＩＤを識別子に付加して通信仲介センタへ送信する手段と、携帯端末と同じく利用者の音声と放送局側の音声を電話回線を介して送受信する手段とを備える。
【発明の効果】
【０００７】
以上説明したように、本発明によれば、個人情報を守りつつ通話することができる携帯端末および端末制御システムを実現できるという効果がある。
【発明を実施するための最良の形態】
【０００８】
以下、本発明の実施の形態を、図面を用いて説明する。
【実施例１】
【０００９】
図１は、本発明の実施例１に係わる端末制御サービスの概念図である。本実施例はテレビ放送局１３にいる司会者３が、発呼端末４とユーザ１から通知された呼出ＩＤ１６を利用して、放送受信機能も電話機能も待ち受け状態にあるユーザ１を番組に招待しようとしている場合を想定している。  
【００１０】
図１において、１は携帯端末２のユーザ、２は無線電話機能と放送受信機能を併せ持つ携帯端末で、ユーザ１は携帯端末２を介して後述の司会者３と共に放送番組に参加する。３はテレビ放送局１３のスタジオにおいて番組の進行を行っている司会者、４は司会者３がユーザ１を番組に招待するための端末で発呼端末、５は発呼端末４と通信仲介センタを結ぶ電話局Ａ、６は通信仲介センタであり、発呼端末４から送信された後述の呼出ＩＤ１６を受信してこれを携帯端末２の電話番号であるユーザ電話番号１７に変換し、ユーザ電話番号１７を用いて電話局Ｂ７および基地局８を介して携帯端末２と接続し、さらに端末呼出１８によって通信仲介センタ６からの呼び出しであることを携帯端末２に通知して、携帯端末にこれから通信仲介センタからの制御が行われることを知らせ、続いて後述の制御コマンド１９と放送局ＩＤ２０を携帯端末２に対して送信して、携帯端末２が内蔵する放送受信機能の起動や受信チャンネルの設定をさせ、最後に呼び出し音２１でユーザ１にテレビ放送局１３からの着信を知らせる。  
【００１１】
９はテレビ放送局１３で司会者を撮影しているカメラ、１０は司会者３の音声である司会者音声２４を入力するマイク、１１は携帯端末２から送信されたユーザ１の音声であるユーザ音声２３を出力するスピーカ、１２はカメラ９とマイク１０とスピーカ１１の入出力をまとめてテレビ放送局１３から番組を放送コンテンツ２５として送出するためのコンテンツ送信装置で、発呼端末４と司会者３との間のユーザ音声２３および司会者音声２４はコンテンツ送信装置１２を介して送受信されることにより、放送を利用している他の視聴者とユーザ１および司会者３との間でコンテンツが配信される遅延を調整する。  
【００１２】
１４はテレビ放送局１３から送出された放送コンテンツ２５を電波に乗せて配信する送信局、１５は司会者３が発呼端末４を利用する際の端末操作で、操作には通信仲介センタ６の呼び出しや携帯端末２を指定するための呼出ＩＤ１６の入力等がある。  １６は司会者３がユーザ１からＦＡＸや投書で予め受け取った呼出ＩＤで、これは携帯端末２の電話番号であるユーザ電話番号１７を司会者３から隠蔽化するために通信仲介センタ６で生成したデータである。  １８は通信仲介センタ６からの呼び出しであることを携帯端末２に通知する端末呼出で、例えば従来の据え置き型端末において録画予約等を宅外から制御するために用いられたＤＴＭＦ（Dual Tone Multi-Frequency）でも良いし、ＴＣＰ／ＩＰ上の特定のプロトコル（例えばSession Initiation Protocol（SIP））を用いることも可能である。１９は通信仲介センタから携帯端末２の動作を制御するための制御コマンドで、これも端末呼出１８と同様にDTMFでもSIPでも可能である。  
【００１３】
２０はテレビ放送局１３あるいは同じ放送局でも番組毎に割り当てられている識別子であり、他の放送局や番組の中から一意に一つの番組を特定できる情報である。２１はユーザ１にテレビ放送局１３からの着信を知らせる着信音であり、制御コマンド１９により通信仲介センタ６から指示されて鳴り始める。２２はユーザ音声２３と司会者音声２４を含んで電話通信路を流れる音声、２６はユーザ１以外の視聴者が使っている視聴者携帯端末である。  
【００１４】
図２は司会者３が発呼端末４を使って通信仲介センタ６へ発呼をしたところから、最後にユーザ１が放送コンテンツ２５を受信しながら電話通信路を介して放送番組に参加するまでを説明するフローチャートである。  図３は本発明の実施例１の通信仲介センタ６の構成の詳細を説明するものである。  図３において６０１は呼出通信部で、発呼端末４からの呼出ＩＤ１６と放送局ＩＤ２０を電話局Ａ５を経て受信し、これらを後述の電話番号検索変換部６０２や仲介制御部６０３へ出力し、また音声２２を後述の仲介通信部６０４との間で送受信し音声を中継する。６０２は電話番号検索変換部で、呼出通信部６０１を介して発呼端末４から受信した呼出ＩＤ１６を見出し情報として、後述の呼出端末データベース６０７に記憶された情報を検索し、この呼出ＩＤ１６と対になっているユーザ電話番号１７を取り出すと共に、同じく対となっている携帯端末２の機種や型式名称を示す端末情報６０９を取り出す。６０３は仲介制御部で、電話番号検索変換部６０２から入力されたユーザ電話番号１７を仲介通信部６０４を介して電話局Ｂ７へ発呼すると共に、発呼が携帯端末２に着信するとこの発呼が通信仲介センタ６からのものであることを通知するために端末呼出１８を送信する。
【００１５】
また、端末情報６０９を見出し情報として後述の端末制御コマンドデータベース６０８を検索し、携帯端末２で使用可能な制御コマンド１９を取り出し、さらに呼出通信部６０１から入力された放送局ＩＤ２０を合わせて仲介通信部６０４を介して電話局Ｂ７へ送出する。６０４は仲介制御部６０３からのユーザ電話番号１７や制御コマンド等を電話局Ｂ７へ送出すると共に、音声２２を呼出通信部６０１との間で送受信し音声を中継する。
６０５は登録通信部で、ユーザ１が匿名化したユーザ電話番号１７を通信仲介センタ６に登録をする際に、ここに携帯端末２が電話局Ｃ６１０を介して接続される。接続をされると、携帯端末２からユーザ電話番号１７と携帯端末２の機種や型式名称を示す端末情報６０９が送信されるので、これらを後述の呼出ＩＤ生成部６０６へ転送すると共に、折り返し呼出ＩＤ生成部６０６から送出される匿名化された呼出ＩＤ１６を電話局Ｃを介して携帯端末２へ送信する。  
【００１６】
６０６は呼出ＩＤ生成部で、ユーザ電話番号１７を登録通信部６０５から受信すると、これに一意に対応する呼出ＩＤ１６を生成し、登録通信部６０５へ返信すると共に、ユーザ電話番号１７と端末情報６０９とを呼出ＩＤ１６を見出し情報として後述の呼出端末データベース６０７へ格納する。６０７は呼出端末データベースで、データは呼出ＩＤ１６を見出しにしてユーザ電話番号１７と端末情報６０９とを検索可能なように呼出ＩＤ生成部６０６によって構築され、電話番号検索変換部６０２によって呼出ＩＤ１６で検索が行われる。６０８は端末制御コマンドデータベースで、各種携帯端末に共通な制御コマンドやユーザ１の携帯端末２を制御するために必要な専用制御コマンドを記憶しており、専用コマンドは端末情報６０９によって検索が可能なように構築されており、仲介制御部６０３は司会者３からの要求で携帯端末２を呼び出した後、端末制御コマンドデータベースから順次制御コマンドを取り出して送信することによって携帯端末２に所望の動作を実行させることが出来る。  
【００１７】
図４は本発明の実施例１の携帯端末２の構成の詳細を説明するものである。  図４において、２０１は携帯端末２の全体を制御する端末制御部で、ユーザ電話番号１７を匿名化登録する際の処理、端末呼出１８や制御コマンド１９そして放送局ＩＤ２０を受信した際の処理、またマイク部２１１やスピーカ部２１０あるいは表示部２０６や操作部２０３といったユーザ１とのインターフェース部分の処理、および後述の放送受信部２０８と放送コンテンツ再生部への制御等を行う為のプログラムが動作している。  ここで制御コマンド１９を受信した際に行われる処理には、放送受信アプリケーションやユーザ１に着信を知らせる色々な呼び出し音を生成するサウンドプログラム等がある。  また、端末呼出１８を受信すると、端末制御部２０１はこれから通信仲介センタ６から送信される制御コマンドによって遠隔操作が行われることを検出し、以後制御の終了を通知されるまで通信仲介センタ６が送信するコマンドを処理する状態となる。  
【００１８】
２０２は電話通信部で、電話局２７（ユーザ電話番号匿名化の時は電話局Ｃ６１０、司会者３からの呼出を受けたときは電話局Ｂ７にそれぞれ相当）に接続して呼出ＩＤ１６や音声２２の送受信が行われる。２０３はユーザ１が携帯端末２を操作する際に使用する操作部で、ここからユーザ電話番号１７の呼出ＩＤ１６への変換依頼等を行う。２０４は登録制御部で、前述の呼出ＩＤ１６への変換において、ユーザ１が操作部２０３を介して登録指示を行うと、端末制御部２０１から受けた登録要求２０７に従い、まず端末情報記憶部２０５からユーザ電話番号１７と端末情報６０９を読み出し、次に電話通信部２０２と電話局２７を介して前述の通信仲介センタ６にある登録通信部６０５と接続し、接続が完了するとユーザ電話番号１７と端末情報６０９を送信し、折り返し呼出ＩＤ１６を受信するとこれを表示部２０６に表示してユーザ１に通知する。２０５は携帯端末２に固有なユーザ電話番号１７と端末情報６０９を記憶している端末情報記憶部、２０６はユーザ１に対して呼出ＩＤ１６や放送映像２１３を提示する表示部、２０８は放送受信部で、端末制御部２０１から指定された放送局ＩＤ２０に従って放送局を選局し、送信局１４から送信された放送コンテンツ２５を受信して、これを放送コンテンツ再生部へ出力する。  
【００１９】
２０９は放送受信部２０８から入力された放送コンテンツ２５から放送音声２１４や放送映像２１３を選り分け、それぞれを再生し、スピーカ部２１０や表示部２０６へ出力する放送コンテンツ再生部である。なお、司会者３からの着信で放送を視聴しながら通話をする場合には、携帯端末２とテレビ放送局１３との間で音声のエコーやハウリングが発生するのを防止するために、端末制御部２０１から再生制御２１２が放送コンテンツ再生部２０９に対して出力され、これにより放送コンテンツ再生部２０９は放送映像２１３のみを再生し、放送音声２１４は再生しないようになる。すなわち、放送に参加している間の音声は電話回線上を送受信される音声２２によってユーザ１と司会者３が通話することになる。  
【００２０】
２１０は呼び出し音２１や司会者音声２４および放送音声２１４を受けて音を出すスピーカ部、２１１はユーザ１の音声であるユーザ音声２３を入力するためのマイク部、２１５は表示制御で、ユーザ１が呼び出し音２１に応じて司会者３からの着信を受けたときに、画面の表示を放送映像に切り替える制御を表示部２０６に行う。  
【００２１】
図５は本発明の実施例１の発呼端末４の構成の詳細を説明するものである。  図５において、４０１は発呼端末４の全体を制御する呼出制御部で、司会者３の端末操作や各種表示および携帯端末２への接続処理を行う。４０２は発呼通信部で、呼出制御部４０１から出力された呼出ＩＤ１６や放送局ＩＤ２０を電話局Ａ５へ送出すると共に、携帯端末２との音声２２の送受信を行う。４０３は発呼端末４が使われているテレビ放送局１３や番組を特定するための放送局ＩＤ２０を記憶する局情報記憶部、４０４は司会者３が発呼端末４を操作するための端末操作部、４０５は端末操作部で操作を行う際に入力した情報を確認するために使う呼出表示部、４０６は呼出表示部４０５で表示する表示情報である。  
【００２２】
本実施例の動作を図１、図２、図３、図４および図５を用いて説明する。  まず図３と図４において呼出端末データベース６０７に呼出ＩＤ１６を登録する様子を説明する。  ここではユーザ１はある放送番組に参加したいが、自分の携帯端末の電話番号は司会者等には知られたくはなく、個人情報を守りつつ番組に参加したいと思っているとする。そこで、ユーザ１は自分の携帯端末２の操作部２０３から登録指示を入力する。すると、端末制御部２０１から登録制御部２０４に対して登録要求２０７が出力され、ついで登録制御部２０４は端末情報記憶部２０５からユーザ電話番号１７と端末情報６０９を取り出し、さらに電話通信部２０２と電話局Ｃ６１０を介して通信仲介センタ６の登録通信部６０５に接続し、前述のユーザ電話番号１７と端末情報６０９を登録通信部６０５へ向けて送信する。ユーザ電話番号１７と端末情報６０９を受信した登録通信部６０５はこれらを呼出ＩＤ生成部６０６へ入力する。すると呼出ＩＤ生成部はユーザ電話番号１７とは全く異なる呼出ＩＤ１６を生成し、これを登録通信部６０５と電話局Ｃ６１０を介して携帯端末２へ返信する。返信を電話通信部２０２で受信すると、呼出ＩＤ１６は登録制御部２０４を介して表示部２０６へ入力され、これによりユーザ１は自分のユーザ電話番号を隠蔽化した呼出ＩＤ１６を得る。一方、呼出ＩＤ生成部６０６は先に受信していたユーザ電話番号１７と端末情報６０９を後で電話番号検索変換部６０２が呼出ＩＤ１６を見出しとして検索できるように、呼出端末データベース６０７に格納する。  以上により、まずユーザ１は匿名化した呼出ＩＤを入手できたので、これを例えばＦＡＸや投書／電子メール等の手段を使って前記参加したいと思っている放送番組へ通知することができる。  
【００２３】
次にこの呼出ＩＤ１６を受け取った番組の司会者３がどのようにしてユーザ１を番組に招待するか図１、図２、図３、図４および図５を用いて説明する（括弧内の記号は図２のステップを示す記号）。  まず、司会者３が端末操作１５によって発呼端末４を通信仲介センタ６へ接続（Ｓ１）。接続が完了したら、端末操作１５によって先にユーザ１から受け取った呼出ＩＤ１６を入力する。入力したＩＤは表示情報４０６が呼出表示部４０５に出力されることで確認でき、呼出制御部４０１は局情報記憶部４０３から放送局ＩＤ２０を取り出し、これを呼出ＩＤ１６に付加して通信仲介センタ６へ送信する（Ｓ２）。呼出ＩＤ１６を受信した通信仲介センタ６の電話番号検索変換部６０２は呼出端末データベース６０７で呼出ＩＤ１６を見出しにしてこれに対応するユーザ電話番号１７を探す。ここでは、先ほどユーザ１がすでに登録処理をしているので、程なく電話番号検索変換部６０２はユーザ電話番号１７と端末情報６０９をデータベースから入手し、結果を仲介制御部６０３へ出力する（Ｓ３）。
【００２４】
ついで、仲介制御部６０３はユーザ電話番号１７を使ってユーザ１へ発呼する（Ｓ４）。発呼が携帯端末１に着信すると、仲介制御部６０３はこの呼び出しが通信仲介センタからのものであることを端末呼出１８によって携帯端末２へ通知する（Ｓ５）。携帯端末２がこの通知に応答すると、仲介制御部６０３はまず端末情報６０９を元に放送受信アプリケーションを起動させる制御コマンド１９を端末制御コマンドデータベース６０８から取り出し、送信する（Ｓ６）。
そして、携帯端末２の端末制御部２０１がアプリケーションを起動出来ると、アプリケーションは仲介制御部６０３が送信した放送局ＩＤ２０を受信して、これを放送受信部２０８へ出力し、目的のテレビ放送局１３を選局する（Ｓ７，Ｓ８）。選局をして放送コンテンツ２５が放送コンテンツ再生部２０９へ入力されると、端末制御部２０１は放送を表示する準備が完了したことを仲介制御部６０３へ通知する（Ｓ９）。
【００２５】
すると、仲介制御部６０３からは呼び出し音２１を鳴らす制御コマンド１９が送信され、ユーザ１に対して司会者３から呼び出しが来ている旨を知らせるように指示される（Ｓ１０）。そして、この呼び出し音２１を認識したユーザ１が操作部２０３からこれに答えると、携帯端末２は通信仲介センタ６からの制御コマンド１９処理状態から、発呼端末４との音声通話状態へ遷移し、同時に表示部２０６の表示を放送コンテンツ２５に切り替える（Ｓ１１）。
【００２６】
そして、このとき端末制御部２０１は携帯端末２とテレビ放送局１３との間で音声のエコーやハウリングが発生するのを防止するために、放送コンテンツ再生部２０９に対して、放送コンテンツ２５に含まれる放送音声２１４はスピーカ部２１０へ出力しないように再生制御２１２を出力する（Ｓ１２）。ただし、視聴者携帯端末２６で番組を視聴している場合にはエコーやハウリングの心配がないので、放送コンテンツ２５から音声を再生、出力することが出来る。  
【００２７】
以上のように本実施例によれば、ユーザは自分の電話番号を開示しなくても番組の司会者からの発呼で番組への招待を受けることが可能で、さらに通信仲介センタからの制御によって通常の電話を受けるのと同じ要領で着信に答えるだけで、テレビ放送局にいる司会者や番組の様子を携帯端末で見ながら番組に参加することが出来ようになる。  
【００２８】
なお、図６（図３から以下の説明に必要が部分を切り出した図）に示すように、通信仲介センタ６の呼出ＩＤ生成部６０６が携帯端末２からユーザ電話番号１７の呼出ＩＤ１６への変換を要求された際に、変換した呼出ＩＤ１６をテレビ放送局１３が使用できる回数を制限するための利用可能回数６１１を指定できるようにして、またこの利用可能回数６１１を呼出端末データベース６０７に前述の実施例と同様に呼出ＩＤ１６を見出し情報として電話番号検索変換部６０２が取り出せるようにして、さらに電話番号検索変換部６０２がユーザ電話番号１７を呼び出す毎に利用可能回数６１１を１つ減算する機能と、もし残り回数が０回になった時にエラー６１２を呼出通信部６０１を介して呼出元の発呼端末４へ通知する機能を備えれば、ユーザ１は不必要に呼出ＩＤを利用される心配をせずに済むようになる。
【実施例２】
【００２９】
図７は、本発明の実施例２に係わる通信仲介センタの説明図（図３から以下の説明に必要が部分を切り出した図）である。図８は、同じく本発明の実施例２に係わる携帯端末の説明図である。また、図９は本実施例の動作フローを補足する流れ図である。本実施例においてもテレビ放送局１３にいる司会者３が発呼端末４とユーザ１から通知された呼出ＩＤ１６を利用して、放送受信機能も電話機能も待ち受け状態にあるユーザ１を番組に招待しようとしている点は同じだが、本実施例ではユーザ１がテレビ放送局１３が直接放送をサービスしている地域にいるか否か定かでない点が異なる。  なお以下の図において、先の実施例と均等なものには同一番号を付し、その説明は重複を避けるために割愛する。  
【００３０】
図７において、６１３は各地域放送局がカバーしているエリアの広がりと放送局同士が番組をローミングしている情報を蓄積した放送地域データベースで、６１４はローミング放送局ＩＤであり、放送地域データベース６１３を検索した結果である。また、仲介制御部６０３は携帯端末２から同端末の現在位置を示す位置情報２１７を受信すると、これを基に前述の放送地域データベース６１３にてその地域で受信可能な放送局IDを検索する機能が付加されている。  図８において、２１６は携帯端末２が現在いる場所を検出する測位部で、これは例えばＧＰＳ（Global Positioning System）の類を利用しているとする。２１７は測位部２１６が検出した携帯端末２の現在位置を示す位置情報である。  
【００３１】
本実施例の動作を図７、図８、および図９を用いて説明する。  まずユーザ１を番組に招待するために司会者３が発呼端末４を用いて携帯端末２を呼び出すまでの動作は先の実施例１と同様である。次に本実施例では、仲介制御部６０３が制御コマンド１９によって携帯端末２の現在位置を携帯端末２に問合せる。すると、制御コマンド１９を受信した携帯端末２は測位部２１６で位置検出を行い、その結果を位置情報２１７として仲介制御部６０３へ返信してくる。本実施例ではその結果を図９に示すフローに従って処理する。  
【００３２】
すなわち、まずもし現在位置が放送局ＩＤ２０で放送コンテンツ２５を受信可能である場合はそのまま放送局ＩＤ２０を用いてコンテンツの表示を行い（Ｓ２、Ｓ３）、また不可能である場合は、放送地域データベース６１３から同じ放送コンテンツ２５を放送している別の放送局を検索（Ｓ５）し、もしこのような放送局があればこの放送局のＩＤをローミング放送局ＩＤ６１４として携帯端末２へ送信し（Ｓ６）、ユーザ１はこのローミング放送ＩＤ６１４を用いて番組に参加する（Ｓ４）。  
【００３３】
一方、もしローミングをしている放送局も存在しない場合は、制御コマンド１９によって放送受信アプリケーションを終了させ、その後通常の音声通話の着信処理だけを携帯端末２に要求するようにする（Ｓ７）。この場合、当然携帯端末２の表示には放送コンテンツ２５は表示されず、単に音声だけでの番組参加となる（Ｓ８）。  このように、本実施例によればたとえ携帯端末の現在の所在が不確かであっても、その場所に適した放送への参加をユーザに提供することが可能となる。  
【００３４】
以上述べたように、本発明によれば、ユーザは自分の電話番号を開示せず個人情報を守りつつ番組の司会者からの発呼で番組への招待を受けることが可能で、さらに通信仲介センタからの制御によって通常の電話を受けるのと同じ要領で着信に答えるだけで、テレビ放送局にいる司会者や番組の様子を携帯端末で見ながら番組に参加することが出来ようになる。また、携帯端末の現在の所在が不確かであっても、その場所に適した放送への参加をユーザに提供することが可能となる。
【図面の簡単な説明】
【００３５】
【図１】実施例１の端末制御サービスの概念図。
【図２】実施例１の動作を順を追って示した流れ図。
【図３】実施例１の通信仲介センタの構成の詳細の説明。
【図４】実施例１の携帯端末の構成の詳細の説明。
【図５】実施例１の発呼端末の構成の詳細の説明。
【図６】実施例１の通信仲介センタの別の構成の説明。
【図７】実施例２の通信仲介センタの構成の説明。
【図８】実施例２の携帯端末の構成の説明。
【図９】実施例２の動作を補足する流れ図。
【符号の説明】
【００３６】
１・・・ユーザ２・・・携帯端末３・・・司会者４・・・発呼端末５・・・電話局Ａ６・・・通信仲介センタ７・・・電話局Ｂ８・・・基地局９・・・カメラ１０・・・マイク１１・・・スピーカ１２・・・コンテンツ送信装置１３・・・テレビ放送局１４・・・送信局１５・・・端末操作１６・・・呼出ＩＤ１７・・・ユーザ電話番号１８・・・端末呼出１９・・・制御コマンド２０・・・放送局ＩＤ２１・・・呼び出し音２２・・・音声２３・・・ユーザ音声２４・・・司会者音声２５・・・放送コンテンツ２６・・・視聴者携帯端末２７・・・電話局２０１・・・端末制御部２０２・・・電話通信部２０３・・・操作部２０４・・・登録制御部２０５・・・端末情報記憶部２０６・・・表示部２０７・・・登録要求２０８・・・放送受信部２０９・・・放送コンテンツ再生部２１０・・・スピーカ部２１１・・・マイク部２１２・・・再生制御２１３・・・放送映像２１４・・・放送音声２１５・・・表示制御２１６・・・測位部２１７・・・位置情報４０１・・・呼出制御部４０２・・・発呼通信部４０３・・・局情報記憶部４０４・・・端末操作部４０５・・・呼出表示部４０６・・・表示情報６０１・・・呼出通信部６０２・・・電話番号検索変換部６０３・・・仲介制御部６０４・・・仲介通信部６０５・・・登録通信部６０６・・・呼出ＩＤ生成部６０７・・・呼出端末データベース６０８・・・端末制御コマンドデータベース６０９・・・端末情報６１０・・・電話局Ｃ６１１・・・利用可能回数６１２・・・エラー６１３・・・放送地域データベース６１４・・・ローミング放送局ＩＤ
【図１】
2005159485.tif 000003
【図２】
2005159485.tif 000004
【図３】
2005159485.tif 000005
【図４】
2005159485.tif 000006
【図５】
2005159485.tif 000007
【図６】
2005159485.tif 000008
【図７】
2005159485.tif 000009
【図８】
2005159485.tif 000010
【図９】
2005159485.tif 000011